(57)【特許請求の範囲】
【請求項１】
化粧品を分給するための塗布機構（２４）であって、遠位端に塗布要素（２８）を有すると共に近位端に第一摘み部（３０）を有する軸体（２６）を備え、前記塗布要素が前記化粧品を受け取るように構成されている塗布機構において、
前記塗布機構は、遠位端に縁部（３６）によって形成される開口（３４）を有すると共に近位端に第二摘み部（３８）を有する細長い中空筒（３２）をさらに備え、前記縁部は拭取要素を形成し、前記軸体は、前記軸体の前記塗布要素が前記中空筒の前記縁部によって形成される前記開口を越えて延びることができるように、前記中空筒内に摺動可能に収容することができ、前記第一摘み部は前記第二摘み部に取り外し可能に嵌合し、それによって、前記第一摘み部が前記第二摘み部から分離されるとき、前記拭取要素が前記塗布要素から余分な化粧品を擦り取ることを特徴とする、塗布機構。
【請求項２】
前記第二摘み部が、前記第一摘み部の一部に設けられた雌ねじ（４４）と螺合するように、前記第二摘み部の上部に雄ねじ（４２）を備える請求項１に記載の塗布機構。
【請求項３】
前記第一摘み部及び前記第二摘み部が、取り外し可能なスナップ嵌め機構を使用して互いに連結される請求項１に記載の塗布機構。
【請求項４】
前記第二摘み部及び前記中空筒が、一体となった１つの構成部品を形成する請求項１〜３のいずれか一項に記載の塗布機構。
【請求項５】
前記第二摘み部及び前記中空筒が、互いに嵌合可能な別々の構成要素である請求項１〜３のいずれか一項に記載の塗布機構。
【請求項６】
前記塗布要素がブラシである請求項１〜５のいずれか一項に記載の塗布機構。
【請求項７】
前記塗布要素がマスカラブラシであり、前記化粧品がマスカラである請求項１〜６のいずれか一項に記載の塗布機構。
【請求項８】
前記塗布要素がフロック加工された塗布具である請求項１〜５のいずれか一項に記載の塗布機構。
【請求項９】
化粧品を収容するための容器（１２）であって、開口（１６）を形成する容器と、
前記容器の前記開口に近接して前記容器に結合される第一拭取要素（１８）とを備える化粧品用の塗布具（１０）において、
前記容器に取り外し可能に結合される請求項１〜８のいずれか一項に記載の塗布機構（２４）を備え、
前記縁部（３６）によって形成される前記塗布機構の拭取要素は、第二拭取要素を形成し、
前記塗布要素（２８）は化粧品を受け取るために前記容器の中に延び、
前記細長い中空筒（３２）は前記第一拭取要素を貫通して摺動可能であり、
前記第一摘み部は前記第二摘み部に取り外し可能に嵌合し、それによって、前記塗布機構が前記容器から取り外されるとき、前記第一拭取要素が前記塗布要素から余分な化粧品を擦り取り、前記第一摘み部が前記第二摘み部から分離されるとき、前記第二拭取要素が前記塗布要素から余分な化粧品を擦り取ることを特徴とする、塗布具。
【請求項１０】
前記塗布機構の第二摘み部は前記容器に結合され、それによって、前記塗布機構は、前記第二摘み部を使用して前記容器から取り外される請求項９に記載の塗布具。
【請求項１１】
前記第二摘み部が、前記容器のねじ切りされたネック部（１４）に取り付けられるように、前記第二摘み部の一部に雌ねじ（４０）を備える請求項９または１０に記載の塗布具。
【請求項１２】
前記第二摘み部が、取り外し可能なスナップ嵌め機構を使用して前記容器のネック部に嵌合する請求項９または１０に記載の塗布具。
【請求項１３】
前記第一拭取要素が、前記中空筒を摺動可能に収容するためのシース（２０）を含み、前記シースが前記容器のねじ切りされたネック部内に収容される請求項９または１２に記載の塗布具。
【請求項１４】
前記シースは、テーパー状の遠位端（２２）を末端とする請求項１３に記載の塗布具。
【発明の詳細な説明】
【技術分野】
【０００１】
本発明は、マスカラなどの化粧品用の塗布具に関する。
【背景技術】
【０００２】
塗布具から余分な化粧品を拭い取るための機構を有する化粧品塗布具が多数ある。これらは、拭取機構を提供することを通常含み、拭取機構は、その中を通して塗布要素を引き抜くことができ、それによって、塗布要素から余分な化粧品を拭い取る。しかしながら、このような機構で得られる拭取作用は単一なものであり、この単一な拭取作用では、使用の際の塗布要素にある化粧品が常に同じ量となる。
【０００３】
しかしながら、使用の際の塗布要素にとどまる化粧品の量が比較的少ないか、或いは、使用の際の塗布要素にとどまる化粧品の量が比較的多いかを使用者が選択できる、２通りの拭取作用（dual wiping action）が得られることが望ましい。現在まで、２つの拭取部を有する化粧料塗布具（dual wiper cosmetic applicator）が多数提案されてきた。ある形態では、一対の塗布要素が設けられ、各塗布要素には異なる量の化粧品が付着し、そして、所要の量の化粧品が付着した塗布要素を使用者が選択するようになっている。他の形態では、一対の拭取機構が設けられ、使用者が拭取機構同士の間の距離を調節することができ、それによって塗布要素から拭い取られる化粧品の量を調節するようになっている。しかしながら、これら２通りの拭取部を有する化粧料塗布具は両方とも、全体として化粧料塗布具を構造的に非効率的なものにする多数の構成要素を有した比較的複雑な器具となる傾向がある。
【発明の概要】
【０００４】
［発明の目的］
それ故、本発明の目的は、構造が単純で使用し易い、２つの拭取作用を有する化粧料塗布具を提供することである。
【０００５】
［発明の概要］
本発明の第一の態様によれば、化粧品用の塗布具が提供され、この塗布具は、
化粧品を収容するための容器であり、開口を形成する容器と、
容器の開口に近接して容器に結合される第一拭取要素と、
容器に取り外し可能に結合される塗布機構とを備える。
上記塗布機構は、
遠位端に塗布要素を有すると共に近位端に第一摘み部を有し、塗布要素が化粧品を受け取るために容器の中に延びる軸体と、
第一拭取要素を貫通して摺動可能である細長い中空筒であり、遠位端に縁部によって形成される開口を有すると共に近位端に第二摘み部を有し、縁部が第二拭取要素を形成する中空筒とを含み、
軸体は、軸体の塗布要素が中空筒の縁部によって形成される開口を越えて延びることができるように、中空筒内に摺動可能に収容されることができ、第一摘み部は第二摘み部に取り外し可能に嵌合し、それによって、塗布機構が容器から取り外されるとき、第一拭取要素が塗布要素から余分な化粧品を擦り取り、第一摘み部が第二摘み部から分離されるとき、第二拭取要素が塗布要素から余分な化粧品を擦り取る。
【０００６】
１つの例示的な実施形態では、塗布機構の第二摘み部は容器に結合され、それによって、塗布機構は第二摘み部を使用して容器から取り外される。
【０００７】
１つの例示的な実施形態では、第二摘み部は、容器のねじ切りされたネック部に取り付けられるように、第二摘み部の一部に雌ねじを備える。
【０００８】
代替の例示的な実施形態では、第二摘み部は、取り外し可能なスナップ嵌め機構を使用して容器のネック部に嵌合する。
【０００９】
１つの例示的な実施形態では、第一拭取要素は、中空筒を摺動可能に収容するためのシース（sheath）を含み、シースは容器のねじ切りされたネック部内に収容される。
【００１０】
１つの例示的な実施形態では、シースは、テーパー状の遠位端を末端とする。
【００１１】
１つの例示的な実施形態では、第二摘み部は、第一摘み部の一部に設けられた雌ねじと螺合するように、第二摘み部の上部に雄ねじを備える。
【００１２】
代替の例示的な実施形態では、第一摘み部及び第二摘み部は、取り外し可能なスナップ嵌め機構を使用して互いに連結される。
【００１３】
１つの例示的な実施形態では、第二摘み部及び中空筒は、一体となった１つの構成部品を形成する。
【００１４】
１つの例示的な実施形態では、第二摘み部及び中空筒は、互いに嵌合可能な別々の構成要素である。
【００１５】
１つの例示的な実施形態では、塗布要素はブラシである。
【００１６】
１つの例示的な実施形態では、塗布要素はマスカラブラシであり、化粧品はマスカラである。
【００１７】
１つの例示的な実施形態では、塗布要素は、フロック加工された塗布具（flocked applicator）である。
【００１８】
本発明の第二の態様によれば、化粧品を分給するための塗布機構が提供され、この塗布機構は、
遠位端に塗布要素を有すると共に近位端に第一摘み部を有し、塗布要素が化粧品を受け取るように構成されている軸体と、
遠位端に縁部によって形成される開口を有すると共に近位端に第二摘み部を有し、縁部が拭取要素を形成する細長い中空筒とを備え、
軸体は、軸体の塗布要素が中空筒の縁部によって形成される開口を越えて延びることができるように、中空筒内に摺動可能に収容されることができ、第一摘み部は第二摘み部に取り外し可能に嵌合し、それによって、第一摘み部が第二摘み部から分離されるとき、拭取要素が塗布要素から余分な化粧品を擦り取る。
【００１９】
１つの例示的な実施形態では、第二摘み部は、第一摘み部の一部に設けられた雌ねじと螺合するように、第二摘み部の上部に雄ねじを備える。
【００２０】
代替の例示的な実施形態では、第一摘み部及び第二摘み部は、取り外し可能なスナップ嵌め機構を使用して互いに連結される。
【００２１】
１つの例示的な実施形態では、第二摘み部及び中空筒は、一体となった１つの構成部品を形成する。
【００２２】
１つの例示的な実施形態では、第二摘み部及び中空筒は、互いに嵌合可能な別々の構成要素である。
【００２３】
１つの例示的な実施形態では、塗布要素はブラシである。
【００２４】
１つの例示的な実施形態では、塗布要素はマスカラブラシであり、化粧品はマスカラである。
【００２５】
１つの例示的な実施形態では、塗布要素は、フロック加工された塗布具である。
【図面の簡単な説明】
【００２６】
【図１】１つの例示的な実施形態による、完全に閉められた状態の化粧品用の塗布具の断面側面図である。
【図２】図１に示す塗布具の第一の使用方式での断面側面図である。
【図３】図１に示す塗布具の第二の使用方式での断面側面図である。
【発明を実施するための形態】
【００２７】
図面を参照すると、化粧品用の塗布具１０が示されており、塗布具１０は、化粧品を収容するための容器１２を備えている。容器は、開口１６を形成すると共にねじ切りされたネック部１４を備えている。第一拭取要素１８が、容器１２の開口１６に近接して、容器１２に結合されている。１つの例示的な実施形態では、第一拭取要素１８は、弾性材料で製造された可撓性を有するシース２０を含み、シース２０は容器１２のねじ切りされたネック部１４の内側に収容されている。１つの例示的な実施形態では、シース２０は、容器１２の中に突出するテーパー状の遠位端２２を末端としている。
【００２８】
塗布具１０は、さらに、容器１２に取り外し可能に結合される塗布機構２４を備えている。塗布機構２４は、遠位端に塗布要素２８を有し且つ近位端に第一摘み部３０を有する細長い軸体２６を備えている。軸体２６は第一の直径を有している。図１に示す完全に閉められた状態では、塗布要素２８は、化粧品を受け取るために容器１２の中に延びている。
【００２９】
１つの例示的な実施形態では、塗布要素２８は、ブラシ、例えば、撚線のブラシである。特に、塗布要素２８は、容器１２内の化粧品がマスカラからなる場合では、マスカラブラシを備えていてもよい。他の例示的な実施形態では、塗布要素２８は、フロック加工された塗布具又は樹脂成形された塗布具である。
【００３０】
塗布機構２４は、さらに、第一拭取要素１８を貫通して摺動可能である細長い中空筒３２を備えている。中空筒３２は、遠位端に縁部３６によって形成される開口３４を有し且つ近位端に第二摘み部３８を有している。縁部３６は、第二拭取要素を形成している。中空筒３２はＨＤＰＥなどの材料又はエラストマー材から製造されてもよい。中空筒３２及び軸体２６はそれぞれ、ＰＯＭ又はＰＰなどの材料から製造されてもよい。
【００３１】
軸体２６を中空筒３２の内側に摺動可能に収容できるように、中空筒３２は、軸体２６の第一の直径より大きい第二の直径を有している。図１に最もよく示されているように、完全に閉められた状態では、軸体２６の塗布要素２８は、中空筒３２の縁部３６によって形成される開口３６を越えて延びている。
【００３２】
中空筒３２は第一拭取要素１８の内側に摺動可能に収容され、第一摘み部３０は第二摘み部３８に取り外し可能に嵌合し、それにより、使用時であり、図２に最もよく示されるような塗布機構２４を容器から取り外したとき、第一拭取要素１８が塗布要素２８から余分な化粧品を擦り取る。さらにまた、使用時であり、図３に最もよく示されるような第一摘み部３０を第二摘み部３８から切り離したとき、第二拭取要素３６が塗布要素２８から余分な化粧品を擦り取る。通常、第一拭取要素１８は、第二拭取要素３６より、塗布要素２８から擦り取る余分な化粧品が少なくなるように構成される。
【００３３】
それ故、本発明は、塗布要素２８から余分な化粧品を多く又は少なく拭い取るために直径が異なる２つの拭取要素１８、３６を有する、改善された化粧品容器１２及び塗布機構２４を対象にしている。よって、使用者が、マスカラの場合においてまつ毛にマスカラを塗る際により薄い出来映えが得られるように、比較的少量の化粧品を必要とすれば、第二摘み部３８及び容器から第一摘み部３０を取り外すことになる。逆に、使用者が、より濃い化粧の出来映えが得られるように、比較的多量の化粧品を必要とすれば、容器１２から塗布機構２４全体を取り外すことになる。
【００３４】
１つの例示的な実施形態では、塗布機構２４の第二摘み部３８は容器１２に結合され、それによって、塗布機構２４は、第二摘み部３８を手で操作することで容器２４から取り外される。特定の例示的な実施形態では、第二摘み部３８は、容器１２のねじ切りされたネック部１４に取り付けられるために、第二摘み部３８の一部に雌ねじ４０を備えてもよい。代替の例示的な実施形態では、第二摘み部３８は、取り外し可能なスナップ嵌め機構を使用して容器１２のネック部に嵌合してもよい。
【００３５】
１つの例示的な実施形態では、第二摘み部３８は、第一摘み部３０の一部に設けられた雌ねじ４４と螺合するために、第二摘み部３８の上部に雄ねじ４２を備えている。代替の例示的な実施形態では、第一摘み部３０及び第二摘み部３８は、取り外し可能なスナップ嵌め機構を使用して、互いに連結される。
【００３６】
１つの例示的な実施形態では、第二摘み部３８及び中空筒３２は、一体となった１つの構成部品を形成する。この場合、中空筒３２は比較的剛性が高くなるであろう。或いは、第二摘み部３８及び中空筒３２は、互いに嵌合可能な別々の構成要素であってもよい。この後者の場合、中空筒３２は比較的可撓性が高くなってよい。
【図１】
0005367825.tif 000002
【図２】
0005367825.tif 000003
【図３】
0005367825.tif 000004